【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
遊技領域を特別入賞領域が設けられる第１の遊技領域とその他の第２の遊技領域とに区画形成する役物と、
前記第２の遊技領域に設けられる始動口と、
前記第２の遊技領域に打ち込まれた遊技球の前記第１の遊技領域内への進入の確率が高くなるように動作可能な第１の可動片と、
前記始動口に遊技球が受け入れられることに基づいて前記第１の可動片の動作契機となる小当たりと、遊技者にとって有利な特別遊技の実行契機となる第１の大当たり及び第２の大当たりとが少なくとも抽選結果に含まれる第１の抽選処理を行うとともに、前記小当たりが当選されることに基づいて前記第１の可動片の駆動制御を行う第１の駆動制御手段と、
前記第２の遊技領域に設けられる通過口と、
前記第２の遊技領域に打ち込まれた遊技球の前記始動口への受け入れの確率が高くなるように動作可能な第２の可動片と、
前記通過口を遊技球が通過することに基づいて前記第２の可動片の動作契機となる当たりについての当落にかかる第２の抽選処理を行うとともに、前記第２の可動片の動作契機となる当たりが当選されることに基づいて前記第２の可動片の駆動制御を行う第２の駆動制御手段と、
前記第１の可動片の駆動制御を通じて前記第１の遊技領域内に進入した遊技球が前記特別入賞領域に受け入れられること、及び前記第１の駆動制御手段により前記第１の大当たりが当選されること、及び前記第１の駆動制御手段により前記第２の大当たりが当選されること、のいずれかの条件が満たされるとき、前記特別遊技を行う特別遊技実行手段と、を備え、
前記第２の駆動制御手段は、前記第１の大当たり及び前記第２の大当たりのいずれかの当選を実行契機とする特別遊技が行われた後の所定の期間は当該期間が経過した後の通常の期間よりも遊技者にとって有利な抽選処理を行う遊技機であって、
前記第２の駆動制御手段は、
前記有利な抽選処理が行われる期間、前記有利な抽選処理が行われる状態にある旨を示す有利状態情報が記憶される記憶手段と、
前記第１の駆動制御手段により前記第１の大当たり及び前記第２の大当たりのいずれかが当選されるとき、前記記憶手段に前記有利状態情報が記憶されているか否かを判断する判断手段と、を備えるとともに、
前記判断手段により前記有利状態情報が記憶されていないと判断されるときの前記第１の駆動制御手段による当選種が前記第１の大当たりであるときは、当該当選を実行契機とする特別遊技が行われた後に前記有利な抽選処理として第１の有利な抽選処理を実行し、
前記判断手段により前記有利状態情報が記憶されていないと判断されるときの前記第１の抽選手段による当選種が前記第２の大当たりであるときは、当該当選を実行契機とする特別遊技が行われた後に前記有利な抽選処理として前記第１の有利な抽選処理よりも有利な第２の有利な抽選処理を実行し、
前記判断手段により前記有利状態情報が記憶されていると判断されるときは、前記第１の抽選手段による前記第１の大当たり及び第２の大当たりの当選種にかかわらず、当該当選を実行契機とする特別遊技が行われた後の所定の期間だけ前記有利な抽選処理として前記第２の有利な抽選処理を実行する
ことを特徴とする遊技機。
【請求項２】
前記第２の駆動制御手段は、
前記通常の期間中、前記第２の遊技領域に所定数の遊技球が打ち込まれたときの前記始動口に入球される遊技球の数をＡ、
前記第１の有利な抽選処理が行われる期間中、前記第２の遊技領域に所定数の遊技球が打ち込まれたときの前記始動口に入球される遊技球の数をＢ、
前記第２の有利な抽選処理が行われる期間中、前記第２の遊技領域に所定数の遊技球が打ち込まれたときの前記始動口に入球される遊技球の数をＣ、とするとき、
それら遊技球の数が、「Ａ＜Ｂ＜Ｃ」なる関係となるように前記第２の抽選処理を行うものである
請求項１に記載の遊技機。
【請求項３】
前記判断手段は、前記第１の駆動制御手段により前記小当たりが当選されるときも、前記記憶手段に前記有利状態情報が記憶されているか否かを判断するものであり、
前記第２の駆動制御手段は、前記特別入賞領域への遊技球の入球を実行契機とする特別遊技が行われたときは、当該特別遊技の実行の必要条件となる小当たりが当選された際に前記判断手段により前記有利状態情報が記憶されていると判断されたことを条件に、前記特別遊技が行われた後の所定の期間だけ前記第２の有利な抽選処理を実行するものである
請求項１または２に記載の遊技機。
【手続補正２】
【補正対象書類名】明細書
【補正対象項目名】００１０
【補正方法】変更
【補正の内容】
【００１０】
こうした目的を達成するため、請求項１に記載の発明では、こうした目的を達成するため、請求項１に記載の発明では、遊技領域を特別入賞領域が設けられる第１の遊技領域とその他の第２の遊技領域とに区画形成する役物と、前記第２の遊技領域に設けられる始動口と、前記第２の遊技領域に打ち込まれた遊技球の前記第１の遊技領域内への進入の確率が高くなるように動作可能な第１の可動片と、前記始動口に遊技球が受け入れられることに基づいて前記第１の可動片の動作契機となる小当たりと遊技者にとって有利な特別遊技の実行契機となる第１の大当たり及び第２の大当たりとが少なくとも抽選結果に含まれる第１の抽選処理を行うとともに、前記小当たりが当選されることに基づいて前記第１の可動片の駆動制御を行う第１の駆動制御手段と、前記第２の遊技領域に設けられる通過口と、前記第２の遊技領域に打ち込まれた遊技球の前記始動口への受け入れの確率が高くなるように動作可能な第２の可動片と、前記通過口を遊技球が通過することに基づいて前記第２の可動片の動作契機となる当たりについての当落にかかる第２の抽選処理を行うとともに、前記第２の可動片の動作契機となる当たりが当選されることに基づいて前記第２の可動片の駆動制御を行う第２の駆動制御手段と、前記第１の可動片の駆動制御を通じて前記第１の遊技領域内に進入した遊技球が前記特別入賞領域に受け入れられること、及び前記第１の駆動制御手段により前記第１の大当たりが当選されること、及び前記第１の駆動制御手段により前記第２の大当たりが当選されること、のいずれかの条件が満たされることに基づいて前記特別遊技を行う特別遊技実行手段と、を備え、前記第２の駆動制御手段は、前記第１の大当たり及び前記第２の大当たりのいずれかの当選を実行契機とする特別遊技が行われた後の所定の期間は当該期間が経過した後の通常の期間よりも遊技者にとって有利な抽選処理を行う遊技機にあって、前記第２の駆動制御手段は、前記有利な抽選処理が行われる期間、前記有利な抽選処理が行われる状態にある旨を示す有利状態情報が記憶される記憶手段と、前記第１の駆動制御手段により前記第１の大当たり及び前記第２の大当たりのいずれかが当選されることに基づいて前記記憶手段に前記有利状態情報が記憶されているか否かを判断する判断手段と、を備えるとともに、前記判断手段により前記有利状態情報が記憶されていないと判断されるときの前記第１の駆動制御手段による当選種が前記第１の大当たりであるときは、当該当選を実行契機とする特別遊技が行われた後に前記有利な抽選処理として第１の有利な抽選処理を実行し、前記判断手段により前記有利状態情報が記憶されていないと判断されるときの前記第１の抽選手段による当選種が前記第２の大当たりであるときは、当該当選を実行契機とする特別遊技が行われた後に前記有利な抽選処理として前記第１の有利な抽選処理よりも遊技者にとって有利な第２の有利な抽選処理を実行し、前記判断手段により前記有利状態情報が記憶されていると判断されるときは、前記第１の抽選手段による前記第１の大当たり及び第２の大当たりの当選種にかかわらず、当該当選を実行契機とする特別遊技が行われた後の所定の期間だけ前記有利な抽選処理として前記第２の有利な抽選処理を実行することを要旨とする。
すなわち、上記構成では、上記第２の駆動制御手段が、
前記有利な抽選処理が行われる期間、前記有利な抽選処理が行われる状態にある旨を示す有利状態情報が記憶される記憶手段と、
前記第１の駆動制御手段により前記第１の大当たり及び前記第２の大当たりのいずれかが当選されるとき、前記記憶手段に前記有利状態情報が記憶されているか否かを判断する判断手段と、
前記判断手段により前記有利状態情報が記憶されていないと判断されるときの前記第１の駆動制御手段による当選種が前記第１の大当たりであるとき、当該当選を実行契機とする特別遊技が行われた後に前記有利な抽選処理として第１の有利な抽選処理を実行する第１有利抽選手段と、
前記判断手段により前記有利状態情報が記憶されていないと判断されるときの前記第１の抽選手段による当選種が前記第２の大当たりであるとき、当該当選を実行契機とする特別遊技が行われた後に前記有利な抽選処理として前記第１の有利な抽選処理よりも有利な第２の有利な抽選処理を実行する第２有利抽選手段と、
前記判断手段により前記有利状態情報が記憶されていると判断されるとき、前記第１の抽選手段による前記第１の大当たり及び第２の大当たりの当選種にかかわらず、当該当選を実行契機とする特別遊技が行われた後の所定の期間だけ前記有利な抽選処理として前記第２の有利な抽選処理を実行する第３有利抽選手段と、
を備えることとしたため、遊技の興趣の低下を抑制することができるようになる。
なお、上記特別遊技とは、いわゆる大当たり遊技のことであり、より具体的には当該特別遊技が行われない状態にあるときよりも遊技者が多くの賞球を獲得可能な遊技のことをいう。